(57)【要約】【課題】グリーン調達情報システムにおいて、納入事業者が調査登録をする際に、グリーン調達の調査対象となる含有化学物質の識別を容易にすること。【解決手段】物質に固有の物質識別子をキーインデックスとして、標準名称、および検索のための検索情報をフィールドとするレコード群を格納する対象物質データベース１０３と、物質識別子をキーとして、その物質が該当するカテゴリーをフィールドとするレコード群を格納するカテゴリーデータベース１０４、およびこれらのデータベースを検索する物質検索処理部１０５とカテゴリー検索処理部１０６を備え、さらにこれらの処理部１０５，１０６と、広域ネットワーク１１０を介した入出力画面インタフェースを介して、グリーン調達の調査対象となる化学物質の識別に関し納入事業者を支援する登録支援処理部１０７を有する。【選択図】　図１
2004005132.tif 000002
【特許請求の範囲】
【請求項１】
各物質に付与された固有の物質識別子と、該物質識別子が付与された物質の標準名称や検索のための検索情報を関連付けたデータを格納する対象物質データベース、
前記物質識別子と、該物質識別子が付与された物質が該当する、調達事業者の所定のカテゴリーとを関連付けたデータを格納するカテゴリーデータベース、
検索情報の入力に基づいて前記対象物質データベースを検索し、検索情報に該当する物質識別子を特定する物質検索処理部、
特定された物質識別子を用いて前記カテゴリーデータベースから該当する所定のカテゴリーを特定するカテゴリー検索処理部、
前記検索情報の入力、前記特定された物質識別子の物質の標準名称及び前記特定されたカテゴリーを出力する入出力画面インタフェースを有するグリーン調達情報システム。
【請求項２】
請求項１において、入力された検索情報に該当する物質識別子が複数抽出された場合に、更に絞込みのための検索情報を入力を受付けるようにしたグリーン調達情報システム。
【請求項３】
請求項１において、入力された検索情報に該当する物質識別子が複数抽出された場合に、該当する物質の標準名称、又は物質の標準名称とその関連情報を出力し、その中から一つの物質を選択できるようにしたグリーン調達情報システム。
【請求項４】
各化学物質に付与された固有の物質識別子と、該物質識別子が付与された物質の標準名称や検索のための検索情報を関連付けたデータを格納する対象物質データベース、
前記物質識別子と、該物質識別子が付与された化学物質が該当する、調達事業者の所定のカテゴリーとを関連付けたデータを格納するカテゴリーデータベース、
各調達品に付与された固有の調達品識別子と、該調達品の名称型式や該調達品が含有する化学物質の物質識別子、その物質識別子の含有量に関する情報を関連付けたデータを格納する調達品調査結果データベース、
検索情報の入力に基づいて前記対象物質データベースを検索し、検索情報に該当する物質識別子を特定する物質検索処理部、
特定された物質識別子を用いて前記カテゴリーデータベースから該当する所定のカテゴリーを特定するカテゴリー検索処理部、
前記調達品調査結果データベースに調達品が含有する化学物質に関するデータを登録するに際して、前記調達品が含有する物質の物質識別子を前記物質検索処理部により特定し、前記調達品の調達品識別子，特定された物質識別子，該物質識別子の物質の含有量に関する情報を関連付けて登録するようにした調査登録処理部を有するグリーン調達情報システム。
【請求項５】
各化学物質に付与された固有の物質識別子と、該物質識別子が付与された物質の標準名称や検索のための検索情報を関連付けたデータを格納する対象物質データベース、
前記物質識別子と、該物質識別子が付与された化学物質が該当する、調達事業者の所定のカテゴリーとを関連付けたデータを格納するカテゴリーデータベース、
納入事業者毎に付与された固有の納入事業者識別子と、納入事業者名やその事業者の関連情報を関連付けたデータを格納する納入事業者データベース、
各調達品に付与された固有の調達品識別子と、該調達品を取扱う納入事業者の納入事業者識別子や該調達品の名称型式，該調達品の関連情報，該調達品が含有する化学物質の物質識別子，その物質識別子の物質の含有量に関する情報を関連付けたデータを格納する調達品調査結果データベース、
検索情報の入力に基づいて前記対象物質データベースを検索し、検索情報に該当する物質識別子を特定する物質検索処理部、
特定された物質識別子を用いて前記カテゴリーデータベースから該当する所定のカテゴリーを特定するカテゴリー検索処理部、
前記調達品調査結果データベースに調達品が含有する化学物質に関するデータを登録するに際して、前記調達品の納入業者を前記納入業者データベースで納入業者識別子により特定し、前記調達品が含有する化学物質の物質識別子を前記物質検索処理部により特定し、前記調達品の調達品識別子，前記納入業者識別子，前記名称型式，前記調達品の関連情報，特定された物質識別子，該物質識別子の物質の含有量に関する情報を関連付けて登録するようにした調査登録処理部を有するグリーン調達情報システム。
【請求項６】
調達品の化学物質の含有量をグリー調達情報システムに登録する入力システムであって、
該入力システムは端末からの画面入力により行われるように構成され、
調達品の名称型式又は調達品の関連情報の入力を促す画面、
入力された名称型式又は調達品の関連情報に基づいて特定された、各調達品に付与された固有の調達品識別子を出力、又は、入力された名称型式の調達品に付与された固有の調達品識別子を出力する画面、
調達品が含有する化学物質に関連する情報の入力を促す画面、
入力された情報に基づいて特定された、各化学物質に付与された固有の物質識別子と、その化学物質の標準名称を出力する画面、
前記名称型式，前記調達品識別子，前記物質識別子，前記標準名称が表示され、前記化学物質の含有量に関する情報入力を促す画面を
端末に表示させるようにしたグリーン調達情報システム。
【請求項７】
調達事業者が調達する部品や材料を構成する各化学物質に付与された固有の物質識別子と、該物質識別子が付与された化学物質の標準名称や検索のための検索情報を関連付けたデータを格納する対象物質データベースを有し、
検索情報の入力に基づいて前記対象物質データベースを検索し、検索情報に該当する物質識別子を特定する物質検索処理部を有するグリーン調達情報システム。
【請求項８】
化学物質の標準名称と、該化学物質を検索するための検索情報を関連付けたデータを格納する対象物質データベースを有し、
検索情報の入力に基づいて前記対象物質データベースを検索し、検索情報に該当する化学物質の標準名称を抽出し、出力するようにしたグリーン調達情報システム。
【請求項９】
請求項１から５の何れかにおいて、前記カテゴリーデータベースは、前記物質識別子と、該物質識別子が付与された物質が該当する、複数の調達事業者の各々の所定のカテゴリーとを関連付けたデータが格納されているグリーン調達情報システム。
【請求項１０】
請求項１から５の何れかにおいて、入力された情報に基づいて特定された、各化学物質に付与された固有の物質識別子と、その化学物質の標準名称と、調達事業者毎のカテゴリーを出力する画面を端末に表示させるようにしたグリーン調達情報システム。
【請求項１１】
各化学物質に付与された固有の物質識別子と、該物質識別子が付与された物質の標準名称や検索のための検索情報を関連付けたデータを格納する対象物質データベース、
調達事業者毎に付与された固有の調達事業者識別子と、調達事業者名やその事業者の関連情報を関連付けた調達事業者データベース、
前記物質識別子と、該物質識別子が付与された化学物質が該当する、複数の調達事業者の各所定のカテゴリー及び前記調達事業者識別子を関連付けたデータを格納するカテゴリーデータベース、
納入事業者毎に付与された固有の納入事業者識別子と、納入事業者名やその事業者の関連情報を関連付けたデータを格納する納入事業者データベース、
各調達品に付与された固有の調達品識別子と、該調達品を取扱う納入事業者の納入事業者識別子や該調達品の名称型式，該調達品の関連情報，該調達品が含有する化学物質の物質識別子，その物質識別子の物質の含有量に関する情報を関連付けたデータを格納する調達品調査結果データベース、
広域ネットワークを介して調達事業者又は納入事業者が利用するホームページを開設するＷｅｂサーバ処理部、
前記Ｗｅｂサーバ処理部を介して入力された検索情報に基づいて前記対象物質データベースを検索し、検索情報に該当する物質識別子を特定する物質検索処理部、
特定された物質識別子を用いて前記カテゴリーデータベースから該当する所定のカテゴリーを特定するカテゴリー検索処理部、
前記Ｗｅｂサーバ処理部を介して前記調達品調査結果データベースに調達品が含有する化学物質に関するデータを登録するに際して、前記調達品の納入業者を前記納入業者データベースで納入業者識別子により特定し、前記調達品が含有する化学物質の物質識別子を前記物質検索処理部により特定し、前記調達品の調達品識別子，前記納入業者識別子，前記名称型式，前記調達品の関連情報，特定された物質識別子，該物質識別子の物質の含有量に関する情報を関連付けて登録するようにした調査登録処理部、
前記Ｗｅｂサーバ処理部を介して調達事業者からのアクセスを受付け、前記データベースを用い、特定の納入事業者や、特定の調達品が含有する化学物質、又は、特定の化学物質を含有する調達品に関する情報を検索し出力する調達品検索処理部
を有するグリーン調達情報システム。
【発明の詳細な説明】
【０００１】
【発明の属する技術分野】
本発明は、グリーン調達情報システムに係り、特に、事業者が調達する部品や材料中の環境影響情報を調査，活用するグリーン調達情報システムに関する。
【０００２】
【従来の技術】
グリーン調達（環境に配慮した部品，材料の調達）、特に物品に関するグリーン調達では、調達を行う事業者が調達に際して納入事業者や調達品を選択する際に、調達品の環境影響が考慮される。特に調達品の選択に際しては、調達する部品や材料中の、有害物質含有や、環境インベントリーデータ（製造工程でのエネルギー消費など）の調査が行われる。そして、これらの調査結果を活用して自社の設計を改善すると共に、納入事業者にも改善努力を求めることが行われている。
【０００３】
既に各社でこのグリーン調達は行われているが、従来、具体的には次のような方法が用いられている。以下では、有害物質含有に関するＡ社の取り組み方法を例として取り上げる。
（１）あらかじめグリーン調達基準を定め、その中で物質をカテゴリーに分けて定義する。例えば禁止物質として、４−アミノビフェニルをはじめとする１００物質のリスト、削減物質にアクリロニトリルをはじめとする３００物質のリスト、要管理物質としてアセトンをはじめとする６００物質のリストを作成し、Ａ社調達部門より、この３種類のリストを公開する。これらのリストには、物質の
ＣＡＳ番号（Ｃｈｅｍｉｃａｌ　Ａｂｓｔｒａｃｔ　Ｓｅｒｖｉｃｅｓ番号と呼ばれる国際的な表記）とＡ社内部における物質の標準的な呼称が記載されている。
（２）Ａ社は納入事業者の全ての会社に対して、納入品調査の協力依頼をする。すなわち、上記のリスト中の物質に関して、Ａ社に納入している全製品に関する含有率または含有量の提出を求める。提出するデータは、インタネットで公開されているＡ社のホームページから入力してもらう。
（３）Ａ社では、このデータを製品情報として蓄積し、製造部門や設計部門が、材料や部品を選定する際の参考にするとともに、納入事業者には禁止物質の代替化，削減物質の含有量の削減を要望する。
【０００４】
尚、グリーン調達に関する従来技術としては、特開２００１−５６７０８号公報や特開２００２−９２０９３号公報に記載のものがある。
【０００５】
【発明が解決しようとする課題】
しかし、上述の従来技術には、以下に述べるような課題がある。
【０００６】
一つは次のような納入事業者（仮にＢ社とする）の問題である。Ｂ社は、顧客に要望される以前に、独自の方針に基づいて自社製品の物質含有量を把握しており、データを所有している。しかし、その物質のデータはＡ社の要求するリスト中の１０００種類の物質およびその禁止，削減等のカテゴリーと一致していない。このため、納入事業者はこの膨大なデータのリストを一行一行チェックし、Ａ社への納入品に含まれる物質がＡ社の規定するどの物質でどのカテゴリーに属するのかを判断しなければならない。物質の照合には手間がかかるだけでなく、正確に対応することに困難がある。この作業が困難である背景の一つは、化学物質の照合の課題である。世界に数百万種類もある化学物質は、ＣＡＳ番号や名称で表記されるが、いずれもユニークなものではない。ＣＡＳ番号，名称共に、同一の物質に複数の表記が割り当てられており、特に名称には何種類もの呼び方が許されているため、他社のリストと自分のリストを照合することだけでも容易ではない。
【０００７】
さらにもう一つの課題は、次のような納入事業者（仮にＣ社とする）の問題である。Ｃ社は、輸出もしている大規模なメーカーであり、国内外の多くの顧客から、Ａ社と同様な調査と要望が寄せられている。しかし、各々の顧客の物質リストとカテゴリーが異なる。例えばある顧客の物質リストは３０００種類でカテゴリーはクラス１からクラス４まである。別の顧客は１５００種類で禁止と削減の２カテゴリーだけといった状況になっている。この各々の顧客のために、個別に社内調査を掛けることは事実上不可能である。また、なるべく多くの顧客要望に応えるため、どの物質から代替化や削減を進めるかというプライオリティを決めかねている。すなわち、これまでのグリーン調達の仕組みでは、調達事業者の都合で一方的に情報が提示されているが、複数の調達事業者を顧客とする納入事業者としての立場での情報整理の視点が見逃されていた。
【０００８】
さらに他の課題は、調達事業者全体の問題である。複数の調達事業者が各々の調達情報を調査することは、それだけでも大きな手間がかかり、各事業者への負担になる。この負担を合計すれば、社会全体で大きな負担が生じていることになる。
【０００９】
本発明の目的は、納入事業者が調査登録をする際に、グリーン調達の調査対象となる含有化学物質の識別を容易にするグリーン調達情報システムを提供することである。
【００１０】
また本発明の他の目的は、複数の顧客のグリーン調達の調査に関して、共通に対応できるグリーン調達情報システムを提供することである。
【００１１】
さらに本発明の他の目的は、複数の調達事業者に共同利用でき、調査情報を供給できるグリーン調達情報システムを提供することである。
【００１２】
【課題を解決するための手段】
上記本発明の目的は、特許請求の範囲に記載の構成によって達成される。
【００１３】
納入事業者が調査登録をする際に、グリーン調達の調査対象となる含有化学物質の識別を容易にするグリーン調達情報システムの構成例としては、対象物質データベースとカテゴリーデータベース、およびこれらのデータを検索する物質検索処理部とカテゴリー検索処理部を備え、さらにこれらの処理部と、広域ネットワークを介した入出力画面インタフェースを介して、グリーン調達の調査対象となる化学物質の識別に関し納入事業者を支援する登録支援処理部を有する。このグリーン調達情報システムは各調達事業者毎に各々運用されるのに適している。
【００１４】
納入事業者が調査登録をする際に、グリーン調達の調査対象となる含有化学物質の識別を容易にするグリーン調達情報システムの具体的態様としては、次の通りである。すなわち、対象物質データベースには、物質に固有の物質識別子（これはユニークで重複がない）をキーインデックスとして、標準名称、および検索のための検索情報をフィールドとするレコード群を格納してある。ここで検索情報は例えば、複数のＣＡＳ番号，俗称を含む複数の名称，よみがな，化学記号（組成式，化学式）、あるいは法律における整理番号（例えば化学物質管理促進法における物質番号）などである。
【００１５】
カテゴリーデータベースには、物質識別子をキーとして、その物質が該当するカテゴリーをフィールドとするレコード群を格納してある。
【００１６】
納入事業者データベースには、納入事業者毎に固有の納入事業者識別子をキーインデックスとして、納入事業者の名称と事業者関連情報をフィールドとするレコード群を格納してある。
【００１７】
調達品調査結果データベースには、調達品に固有の調達品識別子をキーインデックスとして、調達品の名称型式，その調達品を取り扱っている事業者の納入事業者識別子，調達品の関連情報，調達品が含有する物質識別子、およびその含有量に関する情報をフィールドとしたレコードを格納してある。
【００１８】
物質検索処理部は、検索情報を元に対象物質データベースのレコード群を検索し、該当する物質識別子を特定する。
【００１９】
カテゴリー検索処理部は、物質識別子からカテゴリーデータベースのレコード群を検索し、該当するカテゴリーを特定する。
【００２０】
Ｗｅｂサーバ処理部は、広域ネットワークを介して、納入事業者が利用するホームページを開設する。このホームページでは、ログイン画面によって納入事業者を識別したり、納入事業者の端末画面に情報を表示すると共に、端末から情報を入力する機能を有する。
【００２１】
登録支援処理部は、まずＷｅｂサーバ処理部を介して、納入事業者から検索情報の入力を促し、そこで入力された情報と物質検索処理部を用いて調達事業者のリスト中の該当する化学物質の物質識別子と標準名称を特定する。さらにカテゴリー検索処理部を用いて、該当物質がどのカテゴリーに属するかを特定し、再びＷｅｂサーバ処理部を介して、特定された標準名称およびカテゴリーを納入事業者の端末上に表示する。
【００２２】
登録支援処理部が検索情報から物質識別子を特定するプロセスにおいて、検索情報に複数の物質識別子が該当する場合には、その各々のレコードにおけるＣＡＳ番号フィールドと標準識別子フィールドの内容を画面上に表示し、その中から一つを納入事業者が選択するか、さらに絞り込みの検索情報入力を受け付けることによって、最終的には一つの物質識別子を特定する。
【００２３】
調査登録処理部は、Ｗｅｂサーバ処理部を介して、納入事業者からのアクセスを受け付け、物質識別子に対する調達品の物質含有量の情報を入力し、その数値を調達品調査結果データベースに登録するとともに、調達品のその他のフィールドの情報も登録する。
【００２４】
また、複数の顧客のグリーン調達の調査に関して、共通に対応できるグリーン調達情報システムの構成例としては、対象物質データベースとカテゴリーデータベース、およびこれらのデータを検索する物質検索処理部とカテゴリー検索処理部を備え、さらにこれらの処理部と、広域ネットワークを介した入出力画面インタフェースを介して、グリーン調達の調査対象となる化学物質の識別に関し納入事業者を支援する登録支援処理部を有する。このグリーン調達情報システムは複数の調達事業者（以下調達事業者グループと呼ぶ）で共同に運用されるのに適している。
【００２５】
複数の顧客のグリーン調達の調査に関して、共通に対応できるグリーン調達情報システムの具体的態様としては、次の通りである。すなわち、対象物質データベースには、物質の固有の物質識別子（これはユニークで重複がない）をキーインデックスとして、標準名称、および検索のための検索情報をフィールドとするレコード群を格納してある。ここで検索情報は例えば、複数のＣＡＳ番号，俗称を含む複数の名称，よみがな，化学記号（組成式，化学式）、あるいは法律における整理番号（例えば化学物質管理促進法における物質番号）などである。
【００２６】
カテゴリーデータベースには、物質識別子をキーとして、その物質が該当する各々の調達事業者のカテゴリーをフィールドとするレコード群を格納してある。
【００２７】
調達品調査結果データベースには、調達品に固有の調達品識別子をキーインデックスとして、調達品の名称型式，調達品の関連情報，調達品が含有する物質識別子、およびその含有量に関する情報をフィールドとしたレコードを格納してある。
【００２８】
物質検索処理部は、検索情報を元に対象物質データベースのレコード群を検索し、該当する物質識別子を特定する。
【００２９】
カテゴリー検索処理部は、物質識別子からカテゴリーデータベースを検索し、（複数の）該当する事業者とそのカテゴリーを特定する。例えば、同じ物質でも複数の事業者の異なったカテゴリーに該当している場合があり、ここではその情報が特定できる。
【００３０】
Ｗｅｂサーバ処理部は、広域ネットワークを介して、納入事業者が利用するホームページを開設する。このホームページでは、ログイン画面によって納入事業者を識別したり、納入事業者の端末画面に情報を表示すると共に、端末から情報を入力する機能を有する。
【００３１】
登録支援処理部は、まずＷｅｂサーバ処理部を介して、納入事業者から検索情報の入力を促し、そこで入力された情報と物質検索処理部を用いて化学物質の物質識別子と標準名称を特定する。さらにカテゴリー検索処理部を用いて、該当物質が各々の調達事業者のどのカテゴリーに属するかを特定し、再びＷｅｂサーバ処理部を介して、特定された標準名称および各々の事業者の該当カテゴリーを納入事業者の端末上に表示する。
【００３２】
また、登録支援処理部が検索情報から物質識別子を特定するプロセスにおいて、検索情報に複数の物質識別子が該当する場合には、その各々のレコードにおけるＣＡＳ番号フィールドと標準識別子フィールドの内容を画面上に表示し、その中から一つを納入事業者が選択するか、さらに絞り込みの検索情報入力を受け付けることによって、最終的には一つの物質識別子を特定する。
【００３３】
調査登録処理部は、Ｗｅｂサーバ処理部を介して、納入事業者からのアクセスを受け付け、物質識別子に対する調達品の物質含有量の情報を入力し、その数値を調達品調査結果データベースに登録する。
【００３４】
この例では、複数の顧客のグリーン調達の調査に関して、各々異なる物質のカテゴリーを整理し、どの物質から代替化や削減を進めるべきかという、納入事業者としてのプライオリティを決めるための情報を提示できる。
【００３５】
また、複数の調達事業者に共同利用でき、調査情報を供給できるグリーン調達情報システムの構成例としては、調達事業者データベース，納入事業者データベース，調達品調査結果データベース，対象物質データベース，カテゴリーデータベース，物質検索処理部，カテゴリー検索処理部，登録支援処理部，Ｗｅｂサーバ処理部，調査登録処理部を備え、広域ネットワークを介した入出力画面インタフェースを用いて、グリーン調達の調査対象となる含有化学物質の調査登録と検索に関して、情報提供事業者のサービスを支援するように構成される。このグリーン調達情報システムは、広域ネットワークを利用する情報提供事業者向けシステムに適している。複数の調達事業者（以下、共同利用調達事業者とよぶ）および納入事業者（以下、共同利用納入事業者とよぶ）はいずれもこの情報提供事業者のサービスに基づき、情報の授受を行う。
【００３６】
複数の調達事業者に共同利用でき、調査情報を供給できるグリーン調達情報システムの具体的態様としては、次の通りである。すなわち、調達事業者データベースには、調達事業者毎に固有の調達事業者識別子をキーインデックスとして、調達事業者の名称と事業者関連情報をフィールドとするレコード群を格納してある。
【００３７】
納入事業者データベースには、納入事業者毎に固有の納入事業者識別子をキーインデックスとして、納入事業者の名称と事業者関連情報をフィールドとするレコード群を格納してある。
【００３８】
調達品調査結果データベースには、調達品に固有の調達品識別子をキーインデックスとして、調達品の名称型式、その調達品を取り扱っている事業者の納入事業者識別子，調達品の関連情報，調達品が含有する物質識別子、およびその含有量に関する情報をフィールドとしたレコードを格納してある。
【００３９】
対象物質データベースには、物質に固有の物質識別子（これはユニークで重複がない）をキーインデックスとして、標準名称、および検索のための検索情報をフィールドとするレコード群を格納してある。これらの検索情報は例えば、複数のＣＡＳ番号，俗称を含む複数の名称，よみがな，化学記号（組成式，化学式）、あるいは法律における整理番号（例えば化学物質管理促進法における物質番号）などである。
【００４０】
カテゴリーデータベースには、物質識別子をキーとして、その物質が該当する各々の調達事業者のカテゴリーをフィールドとするレコード群を格納してある。
【００４１】
物質検索処理部は、上記の検索情報を元に対象物質データベースのレコード群を検索し、該当する物質識別子を特定する。
【００４２】
カテゴリー検索処理部は、物質識別子からカテゴリーデータベースのレコード群を検索し、（複数の）該当する事業者とそのカテゴリーを特定する。例えば、同じ物質でも複数の事業者の異なったカテゴリーに該当している場合があり、ここではその情報が特定できる。
【００４３】
Ｗｅｂサーバ処理部は、広域ネットワークを介して、共同調達事業者および共同納入事業者が利用するホームページを開設する。このホームページでは、ログイン画面によって各事業者を識別したり、各事業者の端末画面に情報を表示すると共に、端末から情報を入力する機能を有する。
【００４４】
登録支援処理部は、まずＷｅｂサーバ処理部を介して、納入事業者から検索情報の入力を促し、そこで入力された情報と物質検索処理部を用いて化学物質の物質識別子と標準名称を特定する。さらにカテゴリー検索処理部を用いて、該当物質が各々の調達事業者のどのカテゴリーに属するかを特定し、再びＷｅｂサーバ処理部を介して、これらの結果を端末上に表示する。
【００４５】
また、登録支援処理部が検索情報から物質識別子を特定するプロセスにおいて、検索情報に複数の物質識別子が該当する場合には、その各々のレコードにおけるＣＡＳ番号フィールドと標準識別子フィールドの内容を画面上に表示し、その中から一つを納入事業者が選択するか、さらに絞り込みの検索情報入力を受け付けることによって、最終的には一つの物質識別子を特定する。
【００４６】
調査登録処理部は、Ｗｅｂサーバ処理部を介して、各納入事業者からのアクセスを受け付け、物質識別子に対する調達品の物質含有量の情報を受け取り、その数値を調達品調査結果データベースに登録する。
【００４７】
調達品検索処理部は、Ｗｅｂサーバ処理部を介して、各調達事業者からのアクセスを受け付け、納入事業者の情報やその事業者から調達している物品が含有する化学物質とその事業者におけるカテゴリーに関連する情報を検索し、これらの結果を端末上に表示する。
【００４８】
【発明の実施の形態】
以下、本発明の実施例を図面を用いて説明する。
【００４９】
図１に本発明の実施の形態であるグリーン調達システムの構成図を示す。このグリーン調達システム１００は、納入事業者データベース１０１と、調達品調査結果データベース１０２と、対象物質データベース１０３と、カテゴリーデータベース１０４と、物質検索処理部１０５と、カテゴリー検索処理部１０６と、登録支援処理部１０７と、調査登録処理部１０８と、Ｗｅｂサーバ処理部１０９とを備える。
【００５０】
対象物質データベース１０３は、物質に固有の物質識別子（これはユニークで重複がない）をキーインデックスとして、標準名称、および検索のための検索情報をフィールドとするレコード群を格納する。ここで検索情報は例えば、複数のＣＡＳ番号，俗称を含む複数の名称，よみがな，化学記号（組成式，化学式）、あるいは法律における整理番号（例えば化学物質管理促進法における物質番号）などである。
【００５１】
カテゴリーデータベース１０４には、物質識別子をキーとして、その物質が該当するカテゴリーをフィールドとするレコード群を格納する。
【００５２】
納入事業者データベース１０１には、納入事業者毎に固有の納入事業者識別子をキーインデックスとして、調達事業者の名称と事業者関連情報をフィールドとするレコード群を格納する。
【００５３】
調達品調査結果データベース１０２には、調達品に固有の調達品識別子をキーインデックスとして、調達品の名称，その調達品を取り扱っている事業者の納入事業者識別子，調達品の関連情報，調達品が含有する物質識別子、およびその含有量に関する情報をフィールドとしたレコードを格納する。この含有量の情報は、ｍｇなどの具体的な質量でも、納入品の質量に対する比率％でも、あるいは単位コードフィールドを別に設けて両者を併用しても良い。
【００５４】
物質検索処理部１０５は、対象物質データベース１０３のレコード群を、複数のＣＡＳ番号，俗称を含む複数の名称，よみがな，化学記号（組成式，化学式）、あるいは法律における整理番号（例えば化学物質管理促進法における物質番号）などの検索情報部分のフィールドについて検索し、該当するキーインデックスである物質識別子を特定する。
【００５５】
カテゴリー検索処理部１０６は、カテゴリーデータベース１０４のレコード群を物質識別子フィールドについて検索し、該当するカテゴリーを特定する。
【００５６】
Ｗｅｂサーバ処理部１０９は、広域ネットワーク１１０を介して、納入事業者が利用するホームページを開設する。このホームページでは、ログイン画面によって納入事業者を識別したり、納入事業者の端末画面に情報を表示すると共に、端末から情報を入力する機能を有する。
【００５７】
登録支援処理部１０７は、まずＷｅｂサーバ処理部１０９を介して、納入事業者１１１から検索情報の入力を促し、そこで入力された情報を物質検索処理部
１０５に供給し、該当する化学物質の物質識別子と標準名称を特定する。この物質識別子をカテゴリー検索処理部１０６に供給して、該当物質がどのカテゴリーに属するかを特定し、再びＷｅｂサーバ処理部１０９を介して、特定された標準名称およびカテゴリーを納入事業者の端末上に表示する。登録支援処理部１０７が検索情報から物質識別子を特定するプロセスにおいて、検索情報に複数の物質識別子が該当する場合には、その各々のレコードにおけるＣＡＳ番号フィールドと標準識別子フィールドの内容を画面上に表示し、その中から一つを納入事業者が選択するか、さらに絞り込みの検索情報入力を受け付けることによって、最終的には一つの物質識別子を特定する。
【００５８】
調査登録処理部１０８は、Ｗｅｂサーバ処理部１０９を介して、納入事業者からのアクセスを受け付け、物質識別子に対する調達品の物質含有量の情報を受け取り、その数値を調達品調査結果データベース１０２に登録するとともに、調達品のその他のフィールドの情報も登録する。この調査の内容には、納入事業者自体の関連情報も含まれ、その入力結果は納入事業者データベース１０１に登録される。
【００５９】
図２に本発明の実施の形態であるグリーン調達情報システムにおける対象物質データベース１０３の構造例を示す。キーインデックスとなる物質識別子は、少なくともグリーン調達情報システム内においては、重複がないユニークな記号である。例えば、Ｈ０００１は、標準名称「ジクロロメタン」のインデックスである。このジクロロメタンは、ＣＡＳ番号が７５−０９−２であり、この番号が検索情報として記憶されている。また、その他の検索情報として、「塩化メチレン」という別名、「えんかめちれん」という読み仮名，化学式、また、労働安全衛生法に指定された物質番号，化学物質管理促進法に指定された物質番号が記憶されている。物質識別子がＨ０００２の二酸化珪素は、形態によりＣＡＳ番号が複数割り当てられている例である。呼び名も「シリカ」，「石英」などとも呼ばれ、労働安全衛生法の３１１番に指定されている物質である。このほかの検索情報としては、英語をはじめ各国の言語による物質名称などを記憶させることもできる。
【００６０】
図３は、本発明の実施の形態であるグリーン調達情報システムにおけるカテゴリーデータベース１０４の構造例を示す。物質識別子毎に、「禁止」，「削減」，「管理」の該当するカテゴリーが記憶されている。
【００６１】
図４は本発明の実施の形態であるグリーン調達情報システムにおける納入事業者データベース１０１の構造例を示す。キーインデックスとなる納入事業者識別子は、少なくともグリーン調達情報システム内においては、重複がないユニークな記号である。例えば、Ｓ０００１は、名称「Ｈ電機製作所」のインデックスである。この会社の事業者関連情報として、連絡先およびＩＳＯ１４００１認証取得に関する情報が記憶されている。ＩＳＯ１４００１認証取得のフィールドは、０が未取得かつ計画なし、１が未取得であるが計画中、２が取得済みを意味する。
【００６２】
図５は本発明の実施の形態であるグリーン調達情報システムにおける調達品調査結果データベース１０２の構造例を示す。キーインデックスとなる調達品識別子は、少なくともグリーン調達情報システム内においては、重複がないユニークな記号である。例えば、図の例では、調達品Ｐ０００１は、Ｓ０００１番の識別子を持つ納入事業者の「コンデンサＣＦＮ０１０１」なる名称型式の商品であり、関連情報として、リサイクル率が３０％であり、グリーン商品の認定を受けていることが記憶されている（１は認定、０は非認定を意味する）。さらに、含有物質情報として、物質識別子Ｈ０００３９の物質を３．０５％（質量パーセント）、Ｈ０００７８の物質を２．０３％、Ｈ００１０４の物質を０．１５％、各々含有していることが記憶されている。この含有量の情報は、ｍｇなどの具体的な質量の数値と、単位コードフィールドを別に設けて記憶する方法もある。
【００６３】
図６は本発明の実施の形態であるグリーン調達情報システムにおける物質検索処理部１０５の処理フローを示す。ＣＡＳ番号や、読み仮名などの検索キーワードが与えられると（６ａ）、対象物質データベース１０３のレコードから一つを選び、その検索情報フィールドを読みだす（６ｂ）。その検索情報フィールド中の情報が、与えられた検索キーワードと一致するならば、そのレコードの物質識別子の値を出力する（６ｄ）。ここで、検索キーワードと検索情報フィールドの一致判定に関しては、完全に一致する完全一致、前から比較して一致する前方一致、情報中の一部分がキーワードに一致する部分一致のいずれかの方式をとる。検索キーワードを与える際にこの方式の選択指示をパラメータとして与え、６ｃの一致判定時に方式を切り替えることも可能である。一方、検索キーワードと一致しなかった場合は、新たにひとつのレコードを対象物質データベース１０３から選び、全レコードをチェックし終えるまで、繰り返し処理を行う（６ｅ）。
【００６４】
図７は本発明の実施の形態であるグリーン調達情報システムにおける登録支援処理部１０７の処理フローを示す。まずＷｅｂサーバ処理部１０９を介して、納入事業者から検索情報の入力を促し（７ａ）、そこで入力された情報を物質検索処理部１０５に供給し、該当する化学物質の物質識別子を特定する（７ｂ）。ここで、特定された物質識別子は一つであるとは限らない。つぎに、対象物質データベース１０３のレコードにこの物質識別子を照合することによって、各物質識別子の標準名称を得る（７ｃ）。もし、物質識別子が複数であれば（７ｄ）、この結果をリストとして、納入事業者の端末に表示し、再検索のための検索情報の入力を促す（７ｅ）。最終的にステップ７ｂで得られた物質識別子が一つとなるまで検索を続けた後、その物質識別子をカテゴリーデータベース１０４と照合して物質のカテゴリーを得る（７ｆ）。最後にＷｅｂサーバ処理部１０９を介して、物質の標準名称とカテゴリーを併せて納入事業者の端末に表示する（７ｇ）。
【００６５】
図８は本発明の実施の形態であるグリーン調達情報システムにおける調査登録処理部１０８の処理フローを示す。まずＷｅｂサーバ処理部１０９を介して、納入事業者よりログインを受け付ける。この際に納入事業者識別子を特定する（８ａ）。次に関連情報の入力を促し、その情報を、納入事業者データベース１０１の該当する納入事業者識別子のレコードにおける事業者関連情報フィールドに登録する。既に登録されている場合は、既登録の情報を納入事業者の端末に表示した後に、更新する必要のある場合にのみ新たな入力を促す（８ｂ）。次に調達品調査結果データベース１０２への登録を開始する（８ｃ）。まず、新規調達品か、既登録の調達品かを判定する（８ｄ）。既登録の場合は、データベース１０２中の既登録品の一覧を端末に表示し、一つの選択を促す。この際に「名称型式」，「関連情報」に関するキーワード検索の手段を用いることもできる。いずれにせよ最終的には一つの調達品識別子を選択する（８ｅ）。一方、新規登録の場合は、重複のない調達品識別子を新たに生成し、レコードを新設すると共に、納入事業者識別子フィールドに納入事業者識別子を登録する（８ｆ）。次に該当する調達品のレコードに対して、関連情報を登録（８ｇ）した後、含有物質情報の登録処理に入る（８ｈ〜８ｍ）。含有物質情報の登録処理では、まず物質を特定することの困難を解決しなければならないため、登録支援処理部１０７の機能を用いて、物質識別子を特定する（８ｈ）。次に、この物質の含有量に関し質量％で入力を促す（８ｉ）。その結果を調達品調査結果データベース１０２の含有物質情報として登録する（８ｊ）。含有物質情報は登録する物質の数だけの複数操作が必要となるため、全物質を終了するまで繰り返す（８ｋ）。
【００６６】
図９は、本発明のさらに別の実施の形態であるグリーン調達システムの構成図を示す。このグリーン調達システム９００は、図１の実施例に比較して、別の実施の形態の調達事業者データベース９０１と、カテゴリーデータベース９０２と、カテゴリー検索処理部９０３と、登録支援処理部９０４と、調達品検索処理部９０６と、Ｗｅｂサーバ処理部９０７を備える。
【００６７】
調達事業者データベース９０１は、調達事業者毎に固有の調達事業者識別子をキーインデックスとして、調達事業者の名称と事業者関連情報をフィールドとするレコード群を格納する。
【００６８】
カテゴリーデータベース９０２には、物質識別子をキーとして、その物質が該当する調達事業者識別子毎の調達事業者固有のカテゴリーをフィールドとするレコード群を格納する。
【００６９】
Ｗｅｂサーバ処理部９０７は、広域ネットワーク１１０を介して、納入事業者と調達事業者が利用するホームページを開設する。このホームページでは、ログイン画面によって納入事業者や調達事業者を識別したり、各事業者の端末画面に情報を表示すると共に、端末から情報を入力する機能を有する。
【００７０】
カテゴリー検索処理部９０３は、カテゴリーデータベース１０４のレコード群を物質識別子フィールドについて検索し、該当する調達事業者識別子およびその事業者のカテゴリーを（複数）特定する。
【００７１】
登録支援処理部９０４は、まずＷｅｂサーバ処理部９０７を介して、納入事業者１１１から検索情報の入力を促し、そこで入力された情報を物質検索処理部
１０５に供給し、該当する化学物質の物質識別子と標準名称を特定する。この物質識別子をカテゴリー検索処理部９０３に供給して、該当物質がどの調達事業者のどのカテゴリーに属するかを特定し、再びＷｅｂサーバ処理部１０９を介して、特定された標準名称および調達事業者毎のカテゴリーを納入事業者の端末上に表示する。
【００７２】
調達品検索処理部９０６は、Ｗｅｂサーバ処理部９０７を介して、調達事業者からのアクセスを受け付け、調達品調査結果データベース１０２、をはじめとする他の全てのデータベースと検索機能を用いて、次のような検索機能を提供する。すなわち、ある調達品がどの納入事業者のものであるか、その納入事業者の事業者関連情報はどのようなものであるか、その調達品はどのような物質をどの程度の量含有しており、その物質の該当するその調達事業者におけるカテゴリーはなんであるか、あるいは、その調達事業者におけるある特定のカテゴリーを含む物質を含有している調達品にはどのようなものがあるか、などを検索できる。
【００７３】
図１０は、本発明の実施の形態であるグリーン調達情報システムにおける調達事業者データベース９０１の構造例を示す。キーインデックスとなる納入事業者識別子は、少なくともグリーン調達情報システム内においては、重複がないユニークな記号である。例えば、Ｃ０００１は、名称「Ａ電力株式会社」のインデックスである。この会社の事業者関連情報として、連絡先に関する情報が記憶されている。
【００７４】
図１１は、本発明の実施の形態であるグリーン調達情報システムにおけるカテゴリーデータベース９０２の構造例を示す。物質識別子毎に、調達事業者における固有のカテゴリーが記憶されている。例えば、物質識別子Ｈ０００１は、調達事業者識別子Ｃ０００３なる事業者の「禁止」というカテゴリーに分類されており、同時にＣ０００１なる事業者の「クラス１」、Ｃ００９２なる事業者の「削減」にも該当している。このように複数の調達事業者の各々のカテゴリー情報を併せ持つことが図９の実施の形態の特徴である。
【００７５】
図１２は、本発明の実施の形態であるグリーン調達情報システムにおける登録支援処理部９０４の処理フローの例を示す。ステップ９ａから９ｅまでは、図７の７ａから７ｅまでと同一である。ステップ９ｆでは、調達事業者識別子とカテゴリーの両方をペアで取り出す。ステップ９ｇでは、物質の標準名称に対して、調達事業者およびそのカテゴリーを表示する。
【００７６】
図１３には、図１２ステップ９ｇにおける表示画面例を示す。同図に示すように、ジクロロメタンという標準名称に対して、どの調達事業者のどのカテゴリーに該当するかが一覧票で示されており、納入事業者はこの表示によって、自らの商品に含まれている物質のうち、どの物質を削減から進めたらよいのかを判断する基準を得ることができる。
【００７７】
図１４は、本発明の実施の形態であるグリーン調達情報システムにおける調達品検索処理部９０６の処理フローの例を示す。まずＷｅｂサーバ処理部９０７を介して、調達事業者よりログインを受け付け、調達事業者識別子を特定する（１４ａ）、次に検索要望を特定する（１４ｂ）。この要望が、調達品の納入事業者情報を検索するものならば処理Ａを実行する（１４ｃ）。調達品の含有物質を検索するものならば処理Ｂを実行する（１４ｄ）、またある物質を含有する調達品を検索するものならば処理Ｃを実行する（１４ｅ）。
【００７８】
図１５は、図１４における処理Ａの詳細処理フローを示す。まずＷｅｂサーバ処理部９０７を介して、検索キーワードを入力する（１５ａ）。次に調達品調査結果データベース１０２を参照して、このキーワードと名称型式フィールドが前方一致，部分一致，完全一致などの観点で合致するレコードを一つ特定する（１５ｂ）。さらに同レコードから納入事業者識別子を読みとる（１５ｃ）。次に納入事業者データベース１０１を参照して、この納入事業者事業識別子から納入事業者名称や関連情報を読み出し、Ｗｅｂサーバ処理部９０７を介して端末に表示する（１５ｄ）。以上の検索と表示処理を調達品調査結果データベース１０２の全レコードを対象に実行する（１５ｅ）。
【００７９】
図１６は、図１４における処理Ｂの詳細処理フローを示す。まずＷｅｂサーバ処理部９０７を介して、検索キーワードを入力する（１６ａ）。次に調達品調査結果データベース１０２を参照して、このキーワードと名称型式フィールドが前方一致，部分一致，完全一致などの観点で合致するレコードを一つ特定する（１６ｂ）。もし複数のレコードが該当する場合は、一つに絞り込むまで検索を継続する（１６ｃ）。次に、同レコードより物質識別子と含有％を読み込む（１６ｄ）。さらにカテゴリーデータベース９０２を参照して、この物質識別子とログインした際に得られた調達事業者識別子より、該当するカテゴリーを特定する（１６ｅ）。次に対象物質データベース１０３を参照して、ステップ１６ｃで特定した物質識別子の標準名称を特定する（１６ｆ）。最後に、一連の処理により得られた情報、すなわち、▲１▼物質の標準名称，▲２▼含有率，▲３▼該当するカテゴリー、を纏めて一覧表示する（１６ｇ）。以上の処理を、ステップ１６ｃで特定したレコードにおける全含有物質について実行する（１６ｈ）。
【００８０】
図１７は、図１４における処理Ｃの詳細処理フローを示す。まずＷｅｂサーバ処理部９０７を介して、検索キーワードを入力する（１７ａ）。次にそのキーワードを物質検索処理部１０５に供給し、物質の標準名称と物質識別子を特定する（１７ｂ）。さらに、調達品調査結果データベース１０２を参照して、この物質識別子が登録されているレコードを一つ選択し（１７ｃ）、そのレコードから含有％および納入事業者識別子と名称型式をよみだしておく（１７ｄ）、さらに納入事業者識別子から納入事業者名称を引き出しておく（１７ｅ）。最後に一連の処理により得られた情報、すなわち、▲１▼調達品の名称型式，▲２▼物質標準名称と含有率，▲３▼納入事業者の名称、を纏めて一覧表示する（１７ｆ）。以上の処理を、調達品調査結果データベース１０２の全レコードについて実行する（１７ｇ）。
【００８１】
【発明の効果】
本発明によれば、納入事業者が調査登録をする際に、グリーン調達の調査対象となる含有化学物質の識別を容易にすることができる。
【００８２】
また、本発明の他の構成によれば、複数の顧客のグリーン調達の調査に関して、共通に対応できるグリーン調達情報システムを提供することができ、このシステムでは、各々異なる物質のカテゴリーを整理し、どの物質から代替化や削減を進めるべきかという、納入事業者としてのプライオリティを決めるための情報も提示できる。
【００８３】
さらに、本発明の他の構成によれば、複数の調達事業者の共同利用が可能で、各々の事業者に対して調査情報を供給できるという効果がある。
【図面の簡単な説明】
【図１】本発明の一実施例の示す構成図。
【図２】本発明の一実施例における対象物質データベースの構造図。
【図３】本発明の一実施例におけるカテゴリーデータベースの構造図。
【図４】本発明の一実施例における納入事業者データベースの構造図。
【図５】本発明の一実施例における調達品調達結果データベースの構造図。
【図６】本発明の一実施例の物質検索処理部における処理フロー図。
【図７】本発明の一実施例の登録支援処理部における処理フロー図。
【図８】本発明の一実施例の調査登録処理部における処理フロー図。
【図９】本発明の他の一実施例の示す構成図。
【図１０】本発明の他の一実施例における調達事業者データベースの構造図。
【図１１】本発明の他の一実施例におけるカテゴリーデータベースの構造図。
【図１２】本発明の他の一実施例の登録支援処理部における処理フロー図。
【図１３】本発明の他の一実施例における画面表示例を示す図。
【図１４】本発明の他の一実施例の調達品検索処理部における処理フローの全体図。
【図１５】本発明の他の一実施例の調達品検索処理部における処理フローの一部を示す図。
【図１６】本発明の他の一実施例の調達品検索処理部における処理フローの一部を示す図。
【図１７】本発明の他の一実施例の調達品検索処理部における処理フローの一部を示す図。
【符号の説明】
１０１…納入事業者データベース、１０２…調達品調査結果データベース、
１０３…対象物質データベース、１０４…カテゴリーデータベース、１０５…物質検索処理部、１０６…カテゴリー検索処理部、１０７…登録支援処理部、１０８…調査登録処理部、１０９…Ｗｅｂサーバ処理部、１１０…広域ネットワーク。
【図１】
2004005132.tif 000003
【図２】
2004005132.tif 000004
【図３】
2004005132.tif 000005
【図４】
2004005132.tif 000006
【図５】
2004005132.tif 000007
【図６】
2004005132.tif 000008
【図７】
2004005132.tif 000009
【図８】
2004005132.tif 000010
【図９】
2004005132.tif 000011
【図１０】
2004005132.tif 000012
【図１１】
2004005132.tif 000013
【図１２】
2004005132.tif 000014
【図１３】
2004005132.tif 000015
【図１４】
2004005132.tif 000016
【図１５】
2004005132.tif 000017
【図１６】
2004005132.tif 000018
【図１７】
2004005132.tif 000019